(57)【特許請求の範囲】
【請求項１】
第１の記録媒体を内蔵し、
第２の記録媒体が接続可能な放送番組記録装置であって、
放送番組を受信する受信手段と、
受信した放送番組から映像と音声を含む番組データを抽出する番組データ抽出手段と、
抽出した前記番組データを前記第１の記録媒体に記録する番組データ記録手段と、
前記第１の記録媒体に記録された前記番組データを、前記第２の記録媒体に移動する番組データ移動手段と、
前記番組データ移動手段による前記番組データの移動を制御する制御手段と、
を備え、
前記制御手段は、前記第１の記録媒体の空き容量と第１の閾値との比較に基づいて前記番組データの移動を開始し、前記第１の記録媒体の空き容量と前記第１の閾値よりも大きい第２の閾値との比較に基づいて前記番組データの移動を終了し、
使用履歴を記憶する使用履歴記憶手段と、
前記使用履歴から使用頻度を判定する使用頻度判定手段と、
をさらに備え、
前記第１の閾値および前記第２の閾値は、前記使用頻度に応じて変更されることを特徴とする、
放送番組記録装置。
【請求項２】
第１の記録媒体を内蔵し、
第２の記録媒体が接続可能な放送番組記録装置であって、
放送番組を受信する受信手段と、
受信した放送番組から映像と音声を含む番組データを抽出する番組データ抽出手段と、
抽出した前記番組データを前記第１の記録媒体に記録する番組データ記録手段と、
前記第１の記録媒体に記録された前記番組データを、前記第２の記録媒体に移動する番組データ移動手段と、
前記番組データ移動手段による前記番組データの移動を制御する制御手段と、
を備え、
前記制御手段は、前記第１の記録媒体の空き容量と第１の閾値との比較に基づいて前記番組データの移動を開始し、前記第１の記録媒体の空き容量と前記第１の閾値よりも大きい第２の閾値との比較に基づいて前記番組データの移動を終了し、
電子番組表を取得する電子番組表取得手段と、
前記電子番組表から番組編成を解析する番組編成解析手段と、
をさらに備え、
前記第１の閾値および前記第２の閾値は、前記番組編成に応じて変更され、
前記番組編成解析手段が、前記番組編成において前記放送番組の放送時間の増大もしくは新たに放送が開始される前記放送番組の数の増加を検知した場合、前記第１、第２の閾値の少なくとも一方を増大させる、
放送番組記録装置。
【発明の詳細な説明】
【技術分野】
【０００１】
本発明は放送番組記録装置に関し、特に、第１の記録媒体を内蔵し、第２の記録媒体が接続可能な放送番組記録装置に関する。
【背景技術】
【０００２】
デジタルテレビジョン放送等を受信して、放送番組をハードディスクドライブ（以下、ＨＤＤ）等の記録媒体に記録する従来の放送番組記録装置は、放送番組記録装置本体に内蔵される内蔵記録媒体の記憶容量が容量の限界に近づいた場合、内蔵記録媒体に記録されたデジタル映像音声データを、外付けＨＤＤ等の外部記録媒体に移動処理を行うことで、内蔵記録媒体の記録容量を確保していた。ここで、移動処理とは、内蔵記録媒体から外部記録媒体に番組データをコピーした後に、内蔵記録媒体の移動済みデータを消去する処理である。
【０００３】
例えば、特許文献１に示すように、従来の放送番組記録装置では、内蔵記録媒体の容量に所定値を設定し、内蔵記録媒体の使用データ容量が所定値以上となった場合には、外部記録媒体に対して、データの移動処理を行っていた。
【０００４】
このように、従来の放送番組記録装置において、内蔵記録媒体に常に一定の空き容量を確保しておくことで、予約録画等においても録画が途中で途切れないようにすることが可能であり、使用者の使い勝手向上に貢献していた。
【先行技術文献】
【特許文献】
【０００５】
【特許文献１】特開２０００−３４９８３３号公報
【発明の概要】
【発明が解決しようとする課題】
【０００６】
上述した様に、従来の放送番組記録装置では、内蔵記録媒体の使用データ容量が所定値に近い場合に録画を行うと、録画した番組データによって内蔵記録媒体の使用データ容量は所定値を上回り、その結果として、外部記録媒体へ番組データの移動処理が行われる。すると、番組データ移動処理後は、内蔵記録媒体の使用データ容量は所定値を下回るが、次に録画を行うと、再び所定値を上回るため、再び番組データ移動処理が発生する。このように、録画が一回実施されるたびに、使用データ容量が所定値を挟んで変動すると、外部記録媒体への番組データの移動処理が頻繁に発生してしまう。
【０００７】
一般に、番組データの移動処理中は一部の操作ができなくなるなどの制限がある場合が多いため、番組データの移動処理が頻繁に発生すると、使用者の使い勝手を低下させてしまう問題があった。
【０００８】
また、従来の放送番組記録装置では、内蔵記録媒体の容量に対して設定される所定値は、工場出荷時やユーザー設定において一律に決定されているため、使用者の予約録画の頻度等が変化しても、それに応じて所定値が変更されず、利用者の使い勝手を低下させてしまう問題もあった。
【０００９】
本発明は以上の課題を解決するためになされたものであり、放送番組記録装置において、映像音声データの移動処理の開始と終了を適切に判断することで、予約録画等において録画が途中で途切れないだけでなく、内蔵記録媒体から外部記録媒体への番組データ移動処理の頻度の少ない放送番組記録装置の提供を目的とする。
【課題を解決するための手段】
【００１０】
本発明に係る放送番組記録装置は、第１の記録媒体を内蔵し、第２の記録媒体が接続可能な放送番組記録装置であって、放送番組を受信する受信手段と、受信した放送番組から映像と音声を含む番組データを抽出する番組データ抽出手段と、抽出した番組データを前記第１の記録媒体に記録する番組データ記録手段と、第１の記録媒体に記録された番組データを、第２の記録媒体に移動する番組データ移動手段と、番組データ移動手段による番組データの移動を制御する制御手段とを備え、この制御手段は、第１の記録媒体の空き容量と第１の閾値との比較に基づいて番組データの移動を開始し、第１の記録媒体の空き容量と第１の閾値よりも大きい第２の閾値との比較に基づいて番組データの移動を終了し、使用履歴を記憶する使用履歴記憶手段と、前記使用履歴から使用頻度を判定する使用頻度判定手段と、をさらに備え、第１の閾値および第２の閾値は、使用頻度に応じて変更されることを特徴とする。
また、本発明に係る放送番組記録装置は、第１の記録媒体を内蔵し、第２の記録媒体が接続可能な放送番組記録装置であって、放送番組を受信する受信手段と、受信した放送番組から映像と音声を含む番組データを抽出する番組データ抽出手段と、抽出した番組データを第１の記録媒体に記録する番組データ記録手段と、第１の記録媒体に記録された番組データを、第２の記録媒体に移動する番組データ移動手段と、番組データ移動手段による番組データの移動を制御する制御手段と、を備え、制御手段は、第１の記録媒体の空き容量と第１の閾値との比較に基づいて番組データの移動を開始し、第１の記録媒体の空き容量と第１の閾値よりも大きい第２の閾値との比較に基づいて番組データの移動を終了し、電子番組表を取得する電子番組表取得手段と、電子番組表から番組編成を解析する番組編成解析手段と、をさらに備え、第１の閾値および第２の閾値は、番組編成に応じて変更され、番組編成解析手段が、番組編成において放送番組の放送時間の増大もしくは新たに放送が開始される放送番組の数の増加を検知した場合、第１、第２の閾値の少なくとも一方を増大させる。
【発明の効果】
【００１１】
本発明によれば、第１の閾値によって、予約録画等において録画が途中で途切れることを避けることができる。さらに、第２の閾値は第１の閾値よりも大きく設定されるため、録画を行うたびに番組データの移動処理が発生することを避けることができるので、使用者の使い勝手を向上させることができる。
【図面の簡単な説明】
【００１２】
【図１】実施の形態１に係る放送番組記録装置の構成を示す図である。
【図２】実施の形態１に係る放送番組記録装置の動作を示す図である。
【図３】実施の形態１に係る放送番組記録装置の移動処理のフローチャートである。
【図４】実施の形態２に係る放送番組記録装置の第１の閾値及び第２の閾値を示す図である。
【図５】実施の形態２に係る放送番組記録装置の移動処理のフローチャートである。
【発明を実施するための形態】
【００１３】
＜実施の形態１＞
＜構成および基本動作＞
図１に、本実施の形態における放送番組記録装置１００の構成を示す。放送番組記録装置１００は、機能ブロック部、機能ブロック部を制御するＣＰＵ（Ｃｅｎｔｒａｌ  Ｐｒｏｃｅｓｓｉｎｇ  Ｕｎｉｔ）１１０、および番組データを記録するために放送番組記録装置１００に内蔵された第１の記録媒体、即ち内蔵ＨＤＤ１０５を備える。
【００１４】
機能ブロック部は、アンテナ１０１を介してデジタル信号を受信するデジタルチューナー１０２、デジタルチューナー１０２に接続され、番組情報を抽出するトランスポートストリームデコーダ１０３、および番組データをＡＶデコーダ１０６、内蔵ＨＤＤ１０５、およびＵＳＢ（Ｕｎｉｖｅｒｓａｌ  Ｓｅｒｉａｌ  Ｂｕｓ）インターフェース１０８へ送受信する、ストリームコントローラ１０４とから構成される。
【００１５】
また、放送番組記録装置１００外部には、ＵＳＢインターフェース１０８を介して第２の記録媒体、即ち外付けＨＤＤ１０９が接続される。
【００１６】
ＣＰＵ１１０は、ＲＯＭ（Ｒｅａｄ  Ｏｎｌｙ  Ｍｅｍｏｒｙ）１１１に格納されたプログラムに従い、ＲＡＭ（Ｒａｎｄｏｍ  Ａｃｃｅｓｓ  Ｍｅｍｏｒｙ）１１２をワーク領域として使用しながら、ＣＰＵバス１１３を介して、機能ブロック部を制御する。
【００１７】
次に、放送番組記録装置１００の基本動作を説明する。放送番組記録装置１００外部に設置されたアンテナ１０１を介して、デジタルチューナー１０２は放送番組の受信を行い、任意のトランスポートストリームを抽出する。
【００１８】
トランスポートストリームデコーダ１０３は、トランスポートストリームから映像と音声を含む番組データを抽出し、選局された番組に関連するデータだけが、パーシャルトランスポートストリームとしてストリームコントローラ１０４に入力される。
【００１９】
現在放送されている番組を視聴する場合、パーシャルトランスポートストリームは、ストリームコントローラ１０４を介して、ＡＶデコーダ１０６に出力される。ＡＶデコーダ１０６により放送番組の映像データおよび音声データがデコードされ、復元された映像音声信号は、出力映像音声信号１０７として、モニター等の外部表示装置（図示せず）やスピーカー等（図示せず）に入力される。
【００２０】
一方、現在放送されている番組を記録する場合、トランスポートストリームデコーダ１０３から出力されたパーシャルトランスポートストリームは、番組データ記録手段としてのストリームコントローラ１０４により、内蔵ＨＤＤ１０５に記録される。
【００２１】
記録された番組を再生する場合、ストリームコントローラ１０４は、内蔵ＨＤＤ１０５に記録された、放送番組のパーシャルトランスポートストリームデータを読み出して、ＡＶデコーダ１０６に出力し、視聴の場合と同様に映像音声信号を復元して、出力映像音声信号１０７を出力する。
【００２２】
内蔵ＨＤＤ１０５に記録された番組を外付けＨＤＤ１０９に移動する場合、番組データ移動手段としてのストリームコントローラ１０４は、内蔵ＨＤＤ１０５に記録された放送番組のパーシャルトランスポートストリームデータを読み出して、ＵＳＢインターフェース１０８を介して接続された外付けＨＤＤ１０９に記録を行い、番組データ記録完了後には、転送元である内蔵ＨＤＤ１０５内部の転送済みの番組データを消去することで、番組データ移動処理を完了する。これら一連の動作、即ち、番組の視聴、記録、再生及び移動は、ＣＰＵ１１０により制御されている。
【００２３】
＜番組データの移動処理＞
図２は、本実施の形態における放送番組記録装置１００に備わる内蔵ＨＤＤ１０５および、放送番組記録装置１００に接続された外付けＨＤＤ１０９の記憶領域を示す図である。図２（ａ）、図２（ｂ）、図２（ｃ）はそれぞれ、データ移動処理前、データ移動処理中、データ移動処理完了後の記憶領域の状態を示す図である。
【００２４】
内蔵ＨＤＤ１０５の記憶領域２００には、第１から第１０の番組データ２０１〜２１０が、第１の番組データ２０１から、時系列に記録されている（図２（ａ））。
【００２５】
内蔵ＨＤＤ１０５の空き容量に対して設定された第１の閾値２１１は、放送番組を少なくとも１つ記録可能な容量値４００に設定されている。同様に、内蔵ＨＤＤ１０５の空き容量に対して設定された第２の閾値２１２は、第１の閾値よりも、放送番組を少なくとも１つ記録可能な容量値４００以上大きく設定されている。また、図２（ａ）において、外付けＨＤＤ１０９の記憶領域２１３には、番組データが記録されていない。
【００２６】
図３は、番組データ移動処理のフローチャートである。これを用いて、番組データの移動処理の工程を説明する。移動処理前の状態として、図２（ａ）の状態を考える。
【００２７】
まず、ＣＰＵ１１０は任意のタイミングで内蔵ＨＤＤ１０５の空き容量を確認する（ステップＳ３０１）。任意のタイミングとは、例えば、予約録画後のタイミングである。ここで、空き容量が第１の閾値を下回っているか否かの判断を行う（ステップＳ３０２）。図２（ａ）では、内蔵ＨＤＤ１０５の空き容量は、第１の閾値２１１を下回っているので、内蔵ＨＤＤ１０５の空き容量に余裕がないと判断し、次のステップＳ３０４に進む。一方、空き容量が第１の閾値を上回っている場合、内蔵ＨＤＤ１０５にはまだ余裕があると判断し、ステップＳ３１０に進み、移動処理を終了する。
【００２８】
ステップＳ３０４では、外付けＨＤＤ１０９の空き容量を確認する。ここで、空き容量が、最も過去に記録された番組データ即ち第１の番組データ２０１を転送可能な容量であるか否かの判断を行う（ステップＳ３０５）。図２（ａ）では、転送可能な容量が空いているので、ステップＳ３０６に進む。一方、転送できるだけの容量がない場合は、使用者に対して、１番組の録画予約を実行するのに十分な容量が確保できていないことを示す何らかの警告表示を行い（ステップＳ３０７）、番組データ移動処理を終了する（ステップＳ３１０）。
【００２９】
次に、ステップＳ３０６において、番組データ移動手段としてのストリームコントローラ１０４により、最も過去に記録された番組データ、即ち第１の番組データ２０１を、内蔵ＨＤＤ１０５から外付けＨＤＤ１０９へコピーする。さらに、コピー完了後に、内蔵ＨＤＤ１０５に残っている、第１の番組データ２０１を消去する。この結果として、図２（ｂ）の状態となる。
【００３０】
次にステップＳ３０８として、内蔵ＨＤＤ１０５の空き容量を確認する。ここで、空き容量が第２の閾値２１２を上回っているか否かの判断を行う（ステップＳ３０９）。図２（ｂ）では、内蔵ＨＤＤ１０５の空き容量が第２の閾値２１２を下回っているので、ステップＳ３０４に戻る。一方、空き容量が第２の閾値２１２を上回っている場合は、ステップＳ３１０に進み、番組データ移動処理を終了する。
【００３１】
ステップＳ３０４から、前回同様に処理を行う。ステップＳ３０６では、２番目に古い番組データである、第２の番組データ２０２に対して、移動処理、即ちコピー及び消去を行う。この結果として、図２（ｃ）の状態となる。
【００３２】
続いて、ステップＳ３０９において、内蔵ＨＤＤ１０５の空き容量が第２の閾値２１２を上回っているか否かの判断を再び行う。図２（ｃ）では、空き容量が第２の閾値２１２を上回っているので、ステップＳ３１０に進み、番組データの移動処理を終了する。
【００３３】
なお、本実施の形態では、放送番組データの移動先を、ＵＳＢインターフェースを介して接続する外付けＨＤＤ１０９としたが、放送番組記録装置１００に接続され、放送番組データを転送可能であれば、他の種類のインターフェースや記録媒体を使用してもかまわない。
【００３４】
＜効果＞
本実施の形態における放送番組記録装置１００は、第１の記録媒体即ち内蔵ＨＤＤ１０５を内蔵し、第２の記録媒体即ち外付けＨＤＤ１０９が接続された放送番組記録装置１００であって、放送番組を受信する受信手段と、受信した放送番組から映像と音声を含む番組データを抽出する番組データ抽出手段と、抽出した番組データを第１の記録媒体に記録する番組データ記録手段と、第１の記録媒体に記録された番組データを、第２の記録媒体に移動する番組データ移動手段と、番組データ移動手段による番組データの移動を制御する制御手段とを備え、この制御手段は、第１の記録媒体の空き容量と第１の閾値２１１との比較に基づいて番組データの移動を開始し、第１の記録媒体の空き容量と、第１の閾値２１１よりも大きい第２の閾値２１２との比較に基づいて番組データの移動を終了することを特徴とする。
【００３５】
従って、第１の記録媒体に対して第１の閾値２１１を設定することによって、第１の閾値２１１の容量値だけ、内蔵ＨＤＤ１０５には常に空き容量が確保されているので、予約録画等において、記録中に容量不足となり録画が途中で途切れることを避けることができる。
【００３６】
さらに、番組データの移動処理は、第１の記録媒体の空き容量が、第１の閾値２１１よりも大きい第２の閾値２１２を上回るまで続けられるので、録画を行うたびに番組データの移動処理が発生することを回避することができる。一般に、番組データ移動中は、ダビング等の別の操作が行えなくなるなどの制限がある場合が多いため、移動処理の発生を抑制することで、使用者の使い勝手を向上させることができる。
【００３７】
また、本実施の形態における放送番組記録装置１００において、第１の閾値２１１は、放送番組を少なくとも１つ記録可能な容量値４００であり、第２の閾値２１２は、第１の閾値２１１よりも、放送番組を少なくとも１つ記録可能な容量値４００以上大きいことを特徴とする。
【００３８】
従って、第１の閾値２１１は、放送番組を少なくとも１つ記録可能な容量値４００であるので、予約録画等において、少なくとも１つの放送番組は、途中で途切れることなく録画を行うことが可能である。さらに、番組データ移動処理後は、第２の閾値を上回るだけの空き容量が確保されるので、少なくとも１つの放送番組を録画しても、番組データの移動処理が発生することがないため、録画を行うたびに番組データの移動処理が発生することをより確実に回避することがでる。よって、使用者の利便性をより向上させることができる。
【００３９】
また、本実施の形態では、第１の閾値２１１を、放送番組を少なくとも１つ記録可能な容量値４００に設定し、第２の閾値２１２を、第１の閾値２１１からさらに放送番組を少なくとも１つ記録可能な容量値４００以上に設定したが、例えば、内蔵ＨＤＤ１０５の容量に応じて閾値を変更してもよい。即ち、内蔵ＨＤＤ１０５の容量が大きい場合は、第１の閾値２１１と第２の閾値２１２の差を、放送番組を少なくとも１つ記録可能な容量値４００の２倍もしくはそれ以上とすることで、放送番組データの移動処理の発生回数をより抑えることができる。
【００４０】
また、本実施の形態では、第１の閾値２１１および第２の閾値２１２の値を固定するように設定したが、動的に変更するように設定してもよい。例えば、近年の放送番組記録装置は、デジタル放送信号をそのまま記録するだけでなく、圧縮処理を施して、記録する容量値を小さく抑える機能を搭載している場合が多く、使用者が任意に圧縮率を選択できる。使用者が圧縮処理を選択した場合は、圧縮後の１放送番組の容量値に基づいて、第１の閾値２１１および第２の閾値２１２を低く設定する。このように設定しても、本実施の形態で述べた効果と同様の効果を得ることができ、さらに、閾値を低く設定することで内蔵ＨＤＤ１０５において常に確保しておく空き容量を小さくできるため、内蔵ＨＤＤ１０５の使用効率を上げることができる。
【００４１】
なお、本実施の形態では、放送番組を少なくとも１つ記録可能な容量値４００を基準として各閾値を設定したが、この基準となる容量値は、１放送番組の一般的な長さ（例えば２時間）の容量値を基準として決定される。この際、前述の様に、使用者によって圧縮処理が選択されている場合は、その圧縮率も考慮して、基準となる容量値を決定する。あるいは、放送番組を少なくとも１つ記録可能な容量値４００を、１放送番組の最長時間（例えば６時間）を想定した容量値を基準に決定してもよく、放送番組データの移動処理の発生回数をより少なく抑える効果がある。
【００４２】
＜実施の形態２＞
本実施の形態における放送番組記録装置は実施の形態１の構成に加えて、使用者が放送番組記録装置を使用した際に、その使用履歴を、例えば、内蔵ＨＤＤ１０５の、番組データを記録する領域とは別の領域に記憶するように構成されている。また、ＣＰＵ１１０は、ＲＯＭ１１１に格納されたプログラムに基づいて、使用履歴から、使用者の使用頻度が高いか否かの判定を行う。この使用頻度の判定を、実施の形態１で述べた番組データ移動処理の前に行う点が、実施の形態１と異なる。その他の点については実施の形態１と同じであるので、本実施の形態における放送番組記録装置の構成図として、図１を用いる。
【００４３】
使用頻度が普通、あるいは低いと判定された場合、図４（ａ）に示すように、内蔵ＨＤＤ１０５に対して設定される第１の閾値４０１は、実施の形態１の場合と同様に、放送番組を少なくとも１つ記録可能な容量値４００に設定される。また、第２の閾値４０２も実施の形態１と同様、第１の閾値４０１よりも、放送番組を少なくとも１つ記録可能な容量値４００だけ大きく設定される。
【００４４】
一方、使用頻度が高いと判定された場合は、図４（ｂ）に示すように、第１の閾値４１１は、放送番組を少なくとも２つ記録可能な容量値に設定される。また、第２の閾値４１２は、第１の閾値４１１よりも、放送番組を少なくとも２つ記録可能な容量値だけ大きく設定される。
【００４５】
図５に、本実施の形態における番組データ移動処理のフローチャートを示す。番組データの移動処理を行う前に、第１の閾値および第２の閾値の設定を開始する（ステップＳ５０１）。ＣＰＵ１１０は、内蔵ＨＤＤ１０５に記憶された使用履歴を確認して（ステップＳ５０２）使用頻度が高いか否かの判定を行う（ステップＳ５０３）。前述した様に、使用頻度が高いと判定された場合は、閾値として、第１の閾値４１１および第２の閾値４１２（図４（ｂ））を設定する（ステップＳ５０４）。一方、使用頻度が高いと判定されなかった場合は、閾値として、第１の閾値４０１および第２の閾値４０２（図４（ａ））を設定し（ステップＳ５０５）、閾値の設定を終了する（ステップＳ５０６）。
【００４６】
次のステップＳ３０１以降の処理は、実施の形態１と同じであるので、説明を省略する。
【００４７】
なお、使用履歴としては、例えば、予約録画等を実行した履歴が考えられる。また、使用頻度の判断方法としては、例えば、最近１週間当たりの予約録画実行時間を判断基準に用いる方法が考えられるが、この限りではない。
【００４８】
また、本実施の形態では、第１の閾値４１１と第２の閾値４１２を設定する際に、２放送番組を記録するために必要な容量値を基準としたが、それ以外の容量値を選択してもよい。また、第１の閾値４１１を設定する容量値の基準と、第２の閾値４１２を設定する容量値の基準が異なってもかまわない。
【００４９】
＜効果＞
本実施の形態における放送番組記録装置は、実施の形態１における放送番組記録装置に対して、使用履歴を記憶する使用履歴記憶手段と、使用履歴から使用頻度を判定する使用頻度判定手段とをさらに備え、第１の閾値および第２の閾値は、使用頻度に応じて変更されることを特徴とする。
【００５０】
従って、使用頻度が高い使用者に対しては、第１の閾値４１１を、放送番組を少なくとも２つ記録可能な容量値以上に設定するので、予約録画等を２番組連続して実行しても容量不足によって記録が中断されることがなく、使用者の使い勝手を向上させることができる。
【００５１】
また、使用頻度が高い使用者に対しては、第２の閾値４１２を、第１の閾値４１１よりも放送番組を少なくとも２つ記録可能な容量値以上大きく設定するため、２放送番組の録画を行っても、番組データの移動処理が発生することがない。よって、実施の形態１よりも、番組データの移動処理の発生頻度を抑えることができるため、使用者の使い勝手をより向上させることが可能である。
【００５２】
＜実施の形態３＞
本実施の形態における放送番組記録装置の構成は、図１と同じであるので、説明を省略する。本実施の形態における放送番組記録装置は、実施の形態１で説明した機能に加えて、デジタルチューナー１０２及びトランスポートストリームデコーダ１０３により電子番組表を取得する、電子番組表取得手段と、取得した電子番組表の番組編成を解析する、番組編成解析手段をさらに備える。
【００５３】
電子番組表の取得は、デジタルチューナー１０２およびトランスポートストリームデコーダ１０３により行われる。取得した電子番組表の解析は、ＲＯＭ１１１に格納されている所定のプログラムに基づいて、ＣＰＵ１１０によって行われる。例えば、長時間番組や新番組の増加等を検知した場合は、実施の形態２における図４（ｂ）のように、第１の閾値および第２の閾値を通常よりも大きく設定する。このように設定を行うことで、使用者が通常よりも多くの番組を録画予約する場合であっても対応することができる。
【００５４】
また、例えば、１週間先までの予約録画の数もしくは予約録画時間に応じて、第１の閾値および第２の閾値を変更してもよい。
【００５５】
＜効果＞
本実施の形態における放送番組記録装置は、実施の形態１における放送番組記録装置に対して、電子番組表を取得する電子番組表取得手段と、電子番組表から番組編成を解析する番組編成解析手段とをさらに備え、第１の閾値および前記第２の閾値は、前記番組編成に応じて変更されることを特徴とする。
【００５６】
従って、放送番組の番組編成に応じて、使用者の予約録画等の多寡を予想し、第１の閾値および第２の閾値を動的に変更することで、例えば、使用者が通常よりも多めに予約録画等を行った場合でも、録画が途中で途切れることがない。さらに、番組データの移動処理の発生頻度も抑制することができる。
【００５７】
なお、本発明は、その発明の範囲内において、各実施の形態を自由に組み合わせたり、各実施の形態を適宜、変形、省略することが可能である。
【符号の説明】
【００５８】
１００  放送番組記録装置、１０１  アンテナ、１０２  デジタルチューナー、１０３  トランスポートストリームデコーダ、１０４  ストリームコントローラ、１０５  内蔵ＨＤＤ、１０６  ＡＶデコーダ、１０７  出力映像音声信号、１０８  ＵＳＢインターフェース、１０９  外付けＨＤＤ、１１０  ＣＰＵ、１１１  ＲＯＭ、１１２  ＲＡＭ、２００  第１の記録媒体の容量、２０１  第１の番組データ、２０２  第２の番組データ、２０３  第３の番組データ、２０４  第４の番組データ、２０５  第５の番組データ、２０６  第６の番組データ、２０７  第７の番組データ、２０８  第８の番組データ、２０９  第９の番組データ、２１０  第１０の番組データ、２１１，４０１，４１１  第１の閾値、２１２，４０２，４１２  第２の閾値、２１３  第２の記録媒体の容量、４００  放送番組を少なくとも１つ記録可能な容量値。
【図１】
0005889673.tif 000002
【図２】
0005889673.tif 000003
【図３】
0005889673.tif 000004
【図４】
0005889673.tif 000005
【図５】
0005889673.tif 000006